(57)【要約】【課題】微風時風を強くする。強風時風車及び付帯工作物が風でこわれないようにする。【解決手段】風集板１，１２を間の設けて設け、風上の風道２５を広くし風下の風道を狭くしその中に前進方向に出角をもった風車を通し、風集板と反対側に風向変えを設けて風車が回る方へ風を吹き付け、強風時風が風集板１，１２に当たって風集板及び風向変えが曲がって風を逃がすが通常はバネ又は自重又は重りにより元に戻る。【選択図】図２
2008274920.tif 000002
【特許請求の範囲】
【請求項１】
上の風集板（１）と下の風集板（１２）の間を風上の方を広くし風下の方を狭くしその中に風進方向に出角をもった風車（２），（１７）を通す事を特徴とした風力増強風車。
【請求項２】
風車軸より近くの風上の上下の風集板の間より風車軸から遠くの風上の上下の風集板の間の方を広くした事を特徴とした請求項１記載の風力増強風車。
【請求項３】
風集板（８１）を縦に設け、風上の方を外側にし風下の方を内側にして風車が進む方向に風を吹き付ける事を特徴とした風力増強風車。
【請求項４】
風向変え（４），（７２）で風向を風車の進む方向に変えて前進方向に出角をもった風車に吹き付ける事を特徴とした請求項１，２，３記載の風力増強風車。
【請求項５】
風集板（１），（１２），（４），（８１），（７２）に強風が当たると風集板が開いて風を逃がす事を特徴とした請求項１，２，３，４記載の風力増強風車。
【請求項６】
風車（２），（１７）の入角の方から強風が当たると風車の角部の方が開いて風を逃がす事を特徴とした風力増強風車。
【請求項７】
風車（２），（１７），（７６）の向かい風が強風になって風車の出角の方に当たると風車の巾の端の風逃し（１３），（２０），（８９）が曲がって風を逃がす事を特徴とした風力増強風車。
【請求項８】
風車（７６），（７９）を縦に設け風車の中に某形の風増（８８）を設ける事を特徴とした風力増強風車。
【請求項９】
風増（８８）で軸から風上の方（Ｆ）より軸から風下の方（Ｇ）を長くした事を特徴とした風力増強風車。
【発明の詳細な説明】
【技術分野】
【０００１】風力を増強して風車に当てそして強風時工作物がこわれないようにする。
【背景技術】
【０００２】特願２００６−１３４４９４と特願２００７−７５５５８等がある。
【発明の開示】
【発明が解決しようとする課題】
【０００３】微風時風車に当たる風力を強くする。
風集に強風が当った時に風集及び風車がこわれないようにする。
【課題を解決するための手段】
【０００４】風車２，１７を挟んで上と下の風上側に前骨を設け風下側に後骨を設けて前骨と後骨をつなぎ骨でつなぎ、双方の後骨間より双方の前骨間を広くし前骨と後骨の間に前骨を支点に回転する風集板を設け風集板はバネ又は自重又は重り１０により風下の風道を狭くしそして風車軸から遠くなる程風上の方の風道を広くする。風が進む方向と風車が進む方向と逆の方の側に風向変えを設け風向変えはバネ又は自重又は重りにより風下の方を風車が進む方向に風を向かわせる。前骨及び後骨と風向変え及び向決をうでにより１体化させて結続する。【０００５】風車を縦長にし風車が風と同じ方向に進む方の側に風集板の風上の方を外側にし風下の方をバネ又は風集板の自重又は重りにより風下の方を風車側に向ける。風の進む方向と風車が進む方向と逆の方の側に風車の風上の方に風向変えを設け風向変えの風下の方を風車の進む方向にバネ又は風集板の自重又は重りにより向け風集板及び風向変え及び向決を１体のうでを介して結続させる。風車の内側の風が進む方向と風車が進む方向が同じ側に風増を設け、風増は回転芯から風上側を短かく風下側を長くする。風が進む方向と風車が進む方向が逆の方の側に風増の１部を取り除いて風除けとし風除は回転軸より風下の方まで取り除く。【０００６】風車は、入り角の方に車骨を設け、車骨は風車巾の外端の方を短く内側の方を長くしバネにより２枚の風車の内端部は接っし、風骨近くに風車にピンを設けて外端部がバネにより風車板と平らにさせる。
【発明の効果】
【０００７】風を集めるので風力を増して風車に吹き付ける事が出来る。強風時風が風集又は風車に当たると風集又は風車が風が進む方に曲がって風を逃がすので風集又は風車がこわれない。風集の反対側に風向変えを設ける事によりバランスが保てるし風車の出力を増す事が出来る。【０００８】風増は風力を増強させ風除けは負の力の風を逃がす事が出来る。回転芯を風上側にいくらか移動する事により風増及び風除けを安定させる事が出来る。
【発明を実施するための最良の形態】
【０００９】風が進むと同方向に風車が進む方の側に風車を堺いに風上側に間をあけて前骨５１１、を設け風下側に風車を堺いに間をあけて後骨２１，１４を設て各各の前骨と後骨をつなぎ骨７，８でつなぎ、前骨に回転自由に支持させて風集板１，１２を外側から当ててバネ６，９の１端を前骨５，１１に支持させて他端を風集板に固着させる。風集板は風速２０ｍ位以上になったら開くようにバネの反発力にする。風集板の中の風道は風下の風道より風上の風道を広くし風車軸から近くの風上の風道よりも遠くの風上の風道を広くする。風が進む方向と逆の方向に風車が進む側に各各の風骨６，２１，１１，１４と直結したうで３を設け、上下のうでの先端に支軸２７を設け支軸２７に回転自由に風変骨３０，３４を支持させてバネ２６により風変骨３０，３４を風上側に回転させそして風変骨３０，３４に回転自由に風変板３５，３６の１端を支持させてバネにより風変板の他端の方を風上側に曲げさせておく、前骨及び後骨反対側の支軸に１体のうでで結続させて風下にもうでを伸ばして向決２８を設ける。
【実施例】
【００１０】風車７９の両側及び風下側にうで８９，９０を伸し風下側のうでに向決７８を設け、うでに風向と風車が同方向に進む側に風集板８１を設け風集板の外端は支軸８３に回転自由に支持させてバネ又は自重により内端である風下の方を風車側に向けさせ風が進む方向と逆の方向に風車が進む側の方はうでの先端部に風向変え７２の外端を支軸７０に回転自由に支持させバネ又は風向変えの自重により風向変えの風下の方を風車軸より風上側に向かわせる。風集８１及び風向変７２の内側に風集側の方が風の進む方向と同じ方向に進む方に出角をもった風車を設ける。風車は回る方に出角をもたせる。風車の内側に風進と風車が同じ方に進む側に断面略円形の風増８８を設け反対側に風除け７７を設ける。風除けは風増の回転芯より風下側まで取り除く、風増の回転芯は風上側を短かく風下側を長くする。【００１１】風車の巾の７：３位の所に車骨２２，１６を設け風車２，１７が車骨に回転自由に支持させバネにより内端の入角部の端を閉じさせる。風車にピン１８，１５，９１を設けバネにより風逃げ１３，２０，９２を風車２，１７，７６と平らにする。
【産業上の利用可能性】
【００１２】風力発電に利用出来る。
【図面の簡単な説明】
【００１３】
【図１】風車の見下げ図
【図２】Ａ−Ａ断面図
【図３】Ｂ−Ｂ断面図
【図４】Ｃ−Ｃ断面図
【図５】Ｄ−Ｄ断面図
【図６】Ｅ−Ｅ断面図
【図７】風車の見下げ図
【図８】Ｆ−Ｆ断面図
【符号の説明】
【００１４】風集板    １，１２，８１
風車      ２，１７，７６，７９
向決      ７８，２８
前骨      ５，１１
つなぎ骨  ７，８
バネ      ６，９，７１
重り      １０
風逃し    １３，２０，８９
ピン      １５，１８
後骨      １４，２１
車骨      １６，２２
帯        ２４
うで      ３，７５
風増      ８８
風除け    ７７
風道      ２５
風向変え  ４，７２
風変骨    ３０，３４
風変板    ３６，３５
支軸      ２７，８３，７０
【図１】
2008274920.tif 000003
【図２】
2008274920.tif 000004
【図３】
2008274920.tif 000005
【図４】
2008274920.tif 000006
【図５】
2008274920.tif 000007
【図６】
2008274920.tif 000008
【図７】
2008274920.tif 000009
【図８】
2008274920.tif 000010